Podtech/llm-jp-corpus-v4-ja_patent huggingface dataset:
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
外部記憶装置の装着を検知する検知手段と、
データ入出力処理と前記外部記憶装置への書き込みとを同期させて行う処理に関わる同期マウントで前記外部記憶装置をマウントするか、データ入出力処理と前記外部記憶装置への書き込みとを非同期で行う処理に関わる非同期マウントで前記外部記憶装置をマウントするかマウント方法を、前記検知手段により前記外部記憶装置の装着が検知されたことに応じて、決定する決定手段と、
前記決定されたマウント方法で前記外部記憶装置をマウントするマウント手段と、
を有する画像処理装置。
【請求項２】
ジョブを受信する受信手段を更に有し、
前記決定手段は、前記受信されたジョブの種類に基づいて、前記同期マウントでマウントするか、前記非同期マウントでマウントするかマウント方法を決定する請求項１記載の画像処理装置。
【請求項３】
前記決定手段は、前記受信されたジョブの種類と、ジョブの種類とマウント方法とが対応付けて設定された対応データと、に基づいて、前記受信されたジョブの種類に応じたマウント方法を決定する請求項２記載の画像処理装置。
【請求項４】
前記対応データを設定する第１の設定手段を更に有する請求項３記載の画像処理装置。
【請求項５】
前記検知手段により前記外部記憶装置の装着が検知された場合、前記非同期マウントで前記外部記憶装置をマウントする初期マウント手段を更に有し、
前記マウント手段は、前記決定手段により決定されたマウント方法が前記同期マウントによるマウント方法である場合、前記決定されたマウント方法で前記外部記憶装置をマウントし、前記決定手段により決定されたマウント方法が前記非同期マウントによるマウント方法である場合、前記外部記憶装置のマウントを省略する請求項１乃至４何れか１項記載の画像処理装置。
【請求項６】
前記検知された前記外部記憶装置の種類を識別する識別手段を更に有し、
前記決定手段は、前記識別手段により識別された前記外部記憶装置の種類に基づいて、前記同期マウントでマウントするか、前記非同期マウントでマウントするか前記外部記憶装置のマウント方法を決定する請求項１記載の画像処理装置。
【請求項７】
前記識別手段は、前記検知された前記外部記憶装置のメーカ情報と製品情報とに基づいて、前記外部記憶装置の種類を識別する請求項６記載の画像処理装置。
【請求項８】
前記識別手段は、前記検知された前記外部記憶装置より前記メーカ情報と前記製品情報とを取得し、取得した前記メーカ情報及び製品情報と、前記メーカ情報と前記製品情報と外部記憶装置の種類とが対応付けて設定された識別データと、に基づいて、前記取得した前記メーカ情報及び製品情報に応じた外部記憶装置の種類を識別する請求項７記載の画像処理装置。
【請求項９】
前記識別データを設定する第２の設定手段を更に有する請求項８記載の画像処理装置。
【請求項１０】
画像処理装置が実行する情報処理方法であって
外部記憶装置の装着を検知する検知ステップと、
データ入出力処理と前記外部記憶装置への書き込みとを同期させて行う処理に関わる同期マウントで前記外部記憶装置をマウントするか、データ入出力処理と前記外部記憶装置への書き込みとを非同期で行う処理に関わる非同期マウントで前記外部記憶装置をマウントするかマウント方法を、前記検知ステップで前記外部記憶装置の装着が検知されたことに応じて、決定する決定ステップと、
前記決定されたマウント方法で前記外部記憶装置をマウントするマウントステップと、
を含む情報処理方法。
【手続補正２】
【補正対象書類名】明細書
【補正対象項目名】発明の名称
【補正方法】変更
【補正の内容】
【発明の名称】画像処理装置及び情報処理方法
【手続補正３】
【補正対象書類名】明細書
【補正対象項目名】０００１
【補正方法】変更
【補正の内容】
【０００１】
本発明は、画像処理装置及び情報処理方法に関する。
【手続補正４】
【補正対象書類名】明細書
【補正対象項目名】０００８
【補正方法】変更
【補正の内容】
【０００８】
そこで、本発明の画像処理装置は、外部記憶装置の装着を検知する検知手段と、データ入出力処理と前記外部記憶装置への書き込みとを同期させて行う処理に関わる同期マウントで前記外部記憶装置をマウントするか、データ入出力処理と前記外部記憶装置への書き込みとを非同期で行う処理に関わる非同期マウントで前記外部記憶装置をマウントするかマウント方法を、前記検知手段により前記外部記憶装置の装着が検知されたことに応じて、決定する決定手段と、前記決定されたマウント方法で前記外部記憶装置をマウントするマウント手段と、を有する。
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
少なくとも第１主面上に一対の接続端子を有する母材を備える基体と、
前記接続端子と接続された発光素子と、
前記発光素子を封止する封止部材と、を備える発光装置であって、
前記母材は、線膨張係数が、前記発光素子の線膨張係数の±１０ｐｐｍ／℃以内の範囲である発光装置。
【請求項２】
前記母材は、樹脂を含有する請求項１に記載の発光装置。
【請求項３】
前記樹脂のガラス転移温度が２５０℃以上である請求項２に記載の発光装置。
【請求項４】
前記基体の厚みは５００μｍ以下であり、かつ前記基体の曲げ強度は３００ＭＰａ以上である請求項１〜３のいずれか１つに記載の発光装置。
【請求項５】
前記発光素子は、その上面に、前記発光素子からの光に励起される蛍光体を含有する透光性部材が配置されている請求項１〜４のいずれか１つに記載の発光装置。
【請求項６】
前記透光性部材は、前記封止部材の上面を被覆している請求項５に記載の発光装置。
【請求項７】
前記透光性部材は、端面が前記封止部材で被覆されている請求項５又は６に記載の発光装置。
【請求項８】
前記透光性部材は、粒子状の前記蛍光体を含む粒子層が複数積層された層状部材、透明の多結晶の蛍光体板状部材又は透明の単結晶の蛍光体板状部材である請求項５〜７のいずれか１つに記載の発光装置。
【請求項９】
前記蛍光体は、中心粒径が３０μｍ以下である請求項５〜８のいずれか１つに記載の発光装置。
【請求項１０】
前記透光性部材は、量子ドットを含む請求項５〜９のいずれか１つに記載の発光装置。
【請求項１１】
前記発光素子は、少なくとも窒化物半導体積層体を備えており、
前記透光性部材は、前記窒化物半導体積層体の全厚みの１０倍以下の厚みを有する請求項５〜１０のいずれか１つに記載の発光装置。
【請求項１２】
前記封止部材は、遮光性材料によって形成されている請求項１〜１１のいずれか１つに記載の発光装置。
【請求項１３】
前記封止部材は、前記発光素子の側面に接触して被覆する請求項１〜１２のいずれか１つに記載の発光装置。
【請求項１４】
前記透光性部材は、前記発光素子の側面における前記封止部材の厚みの２倍以下の厚みを有する請求項５〜１３のいずれか１つに記載の発光装置。
【請求項１５】
前記基体及び封止部材は、長手方向に長い形状を有し、
前記長手方向に沿って、前記基体の端面と前記封止部材の端面とが同一面を形成する請求項１〜１４のいずれか１つに記載の発光装置。
【請求項１６】
前記基体は、凹部又は貫通孔を有し、その内部に前記封止部材の一部が充填されている請求項１〜１５のいずれか１つに記載の発光装置。
【請求項１７】
前記封止部材の上面は、前記発光素子の上面と同一面を形成する請求項１〜１６のいずれか１つに記載の発光装置。
【請求項１８】
前記封止部材は、前記発光素子と前記基体との間に配置される部材を含み、該部材は前記接続端子の線膨張係数と±２０％の線膨張係数を有する樹脂によって構成されている請求項１〜１７のいずれか１つに記載の発光装置。
【請求項１９】
前記接続端子は、前記母材の第１主面上から該第１主面と反対側の第２主面上に延長してそれぞれ設けられている請求項１〜１８のいずれか１つに記載の発光装置。
【請求項２０】
前記接続端子は、前記母材を貫通するビア又はスルーホールにより前記第１主面から前記第２主面まで延長して設けられる請求項１〜１９のいずれか１つに記載の発光装置。
【請求項２１】
前記スルーホールは、金属が埋め込まれている請求項２０記載に記載の発光装置。
【請求項２２】
前記発光素子は、少なくとも、窒化物半導体積層体と、該窒化物半導体積層体の同一面側に配置された正負電極とを備え、
前記接続端子は、母材の第１主面上において、前記正負電極に対向する位置にかつ前記正負電極と同等の大きさの突出パターンを備える請求項１〜２１のいずれか１つに記載の発光装置。
【請求項２３】
前記発光素子は、前記基体にフリップチップ実装されている請求項１〜２２のいずれか１つに記載の発光装置。
【請求項２４】
前記発光素子は、前記窒化物半導体積層体の前記正負電極の配置面側に、少なくとも金属層又は絶縁層による補強層が配置されている請求項２２又は２３に記載の発光装置。
【請求項２５】
前記発光素子は、２００μｍ以下の厚みを有する請求項１〜２４のいずれか１つに記載の発光装置。
【請求項２６】
前記発光素子の前記正負電極は、前記接続端子に、導電性の接合部材を介して接続されており、該接合部材は、前記窒化物半導体積層体の厚みと同等〜３倍の厚みを有する請求項２２〜２５のいずれか１つに記載の発光装置。
【請求項２７】
前記発光素子は、半導体層の成長用の基板が除去されている請求項１〜２６のいずれか１つに記載の発光装置。
【請求項２８】
前記母材に含有される樹脂の熱放射率が０．５以上である請求項２〜２７のいずれか１つに記載の発光装置。
【請求項２９】
前記発光装置は、光取り出し面に隣接する面を実装面とする請求項１〜２８のいずれか１つに記載の発光装置。
【請求項３０】
前記発光素子は、平面視、長辺が短辺の１．５倍以上の長方形形状を有する請求項１〜２９のいずれか１つに記載の発光装置。
【請求項３１】
前記接続端子と前記発光素子とは半田によって接続されており、
前記母材は、線膨張係数が、５ｐｐｍ／℃以下である請求項１〜３０のいずれか１つに記載の発光装置。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
プラズマを用いて窒化シリコン膜を酸化シリコンまたはシリコンに対して選択的にエッチングするドライエッチング方法であって、
ＣＦ４ガスとＨ２ガスとＣＯ２ガスとの混合ガスを用いて、前記窒化シリコン膜をエッチングする、ドライエッチング方法。
【請求項２】
プラズマを用いて窒化シリコン膜を酸化シリコンまたはシリコンに対して選択的にエッチングするドライエッチング方法であって、
Ｃ２Ｆ６ガスとＨ２ガスとＣＯ２ガスとの混合ガスを用いて、前記窒化シリコン膜をエッチングする、ドライエッチング方法。
【請求項３】
請求項１記載のドライエッチング方法において、
前記ＣＦ４ガスの流量：前記Ｈ２ガスの流量：前記ＣＯ２ガスの流量＝１：２：１となる前記ＣＦ４ガスの流量、前記Ｈ２ガスの流量および前記ＣＯ２ガスの流量をそれぞれ前記ＣＦ４ガスの第１基準流量、前記Ｈ２ガスの第２基準流量および前記ＣＯ２ガスの第３基準流量とし、
前記ＣＦ４ガスの流量を前記第１基準流量から±３０％の範囲内の流量とし、前記Ｈ２ガスの流量を前記第２基準流量から±３０％の範囲内の流量とし、前記ＣＯ２ガスの流量を前記第３基準流量から±３０％の範囲内の流量として、前記窒化シリコン膜をエッチングする、ドライエッチング方法。
【請求項４】
請求項１〜３のいずれか１項に記載のドライエッチング方法において、
前記プラズマを、パルス変調された高周波電力により生成し、
前記窒化シリコン膜を備える試料が載置された試料台に、パルス変調された高周波バイアスを印加する、ドライエッチング方法。
【請求項５】
請求項４記載のドライエッチング方法において、
前記プラズマを、マイクロ波と磁場との相互作用により生成し、
前記試料台の温度を、４０℃以上、かつ、１５０℃以下とし、
前記パルス変調された高周波バイアスのオン期間の電力と前記パルス変調された高周波バイアスのデューティー比との積を０Ｗより大きく、かつ、５Ｗ以下とする、ドライエッチング方法。
【請求項６】
請求項１〜３のいずれか１項に記載のドライエッチング方法において、
前記窒化シリコン膜を備える試料の上方、かつ、前記窒化シリコン膜がエッチングされる処理室の内壁に、窒化シリコンまたはシリコンからなる部材を配置する、ドライエッチング方法。
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
光電変換部を含む部材を準備する工程と、
前記部材の上に、有機物および前記有機物に分散した粒子を含む層を形成する工程と、
前記層の表面を粗面にするようにドライエッチングにより前記層の表面に前記粒子を露出させる工程と、
を含むことを特徴とする光電変換素子の製造方法。
【請求項２】
前記層を形成する工程では、前記粒子が分散した膜を前記部材の上に形成した後に、前記膜をパターニングすることにより、前記層を形成することを特徴とする請求項１に記載の光電変換素子の製造方法。
【請求項３】
前記膜は感光性を有しており、前記膜の露光および現像によって前記膜をパターニングすることを特徴とする請求項２に記載の光電変換素子の製造方法。
【請求項４】
光電変換部を有する部材の上に、有機物および前記有機物中に分散した粒子を含む層を形成する工程と、
ドライエッチングにより前記層の表面を粗面化する工程と、を含む光電変換素子の製造方法であって、
前記層は、前記部材の表面に前記粒子を分散された膜が形成され、その後に前記膜のうち少なくとも前記光電変換部の上方に位置する部分が除去されることにより形成されることを特徴とする光電変換素子の製造方法。
【請求項５】
前記粒子が分散した有機材料を前記部材の上に塗布することにより、前記膜を形成することを特徴とする請求項２乃至４の何れか１項に記載の光電変換素子の製造方法。
【請求項６】
前記ドライエッチングは、１〜１００ｍＴｏｒｒの範囲内の圧力、１００〜１０００Ｗの範囲内の高周波電力で、エッチングガスとして流量が０〜５００ｓｃｃｍのＣＦ４及び流量が１〜５００ｓｃｃｍのＯ２を使用して行われることを特徴とする請求項１乃至５のいずれか１項に記載の光電変換素子の製造方法。
【請求項７】
前記ドライエッチングでは、前記層をマスクとして前記層の下地をパターニングすることを特徴とする請求項１乃至６のいずれか１項に記載の光電変換素子の製造方法。
【請求項８】
前記ドライエッチングは、１〜１００ｍＴｏｒｒの範囲内の圧力、１００〜１０００Ｗの範囲内の高周波電力で、エッチングガスとして流量が０〜１００ｓｃｃｍのＯ２、流量が１〜５０ｓｃｃｍのＮ２及び流量が１〜２００ｓｃｃｍのＡｒを使用して行われることを特徴とする請求項１乃至７のいずれか１項に記載の光電変換素子の製造方法。
【請求項９】
前記粒子は、顔料であることを特徴とする請求項１乃至８のいずれか１項に記載の光電変換素子の製造方法。
【請求項１０】
前記粒子の粒径はメジアン径で３０〜１００ｎｍであることを特徴とする請求項１乃至９のいずれか１項に記載の光電変換素子の製造方法。
【請求項１１】
前記有機物のエッチング選択性と前記粒子のエッチング選択性とは異なることを特徴とする請求項１乃至１０のいずれか１項に記載の光電変換素子の製造方法。
【請求項１２】
光電変換部を有する半導体基板と、
前記半導体基板の上に設けられた、有機物および前記有機物に分散した粒子を含み、表面粗さがＲＭＳ５０ｎｍ以上である層と、を
備えることを特徴とする光電変換素子。
【請求項１３】
前記層が前記光電変換素子の表面を構成することを特徴とする請求項１２に記載の光電変換素子。
【請求項１４】
前記粒子は、顔料であることを特徴とする請求項１２または１３に記載の光電変換素子。
【請求項１５】
前記層は前記光電変換部の上に位置する開口を有することを特徴とする請求項１２乃至１４のいずれか1項に記載の光電変換素子。
【請求項１６】
前記粒子の粒径はメジアン径で３０〜１００ｎｍであることを特徴とする請求項１２乃至１５のいずれか１項に記載の光電変換素子。
【手続補正２】
【補正対象書類名】明細書
【補正対象項目名】０００５
【補正方法】変更
【補正の内容】
【０００５】
本発明の光電変換素子の製造方法は、光電変換部を含む部材を準備する工程と、前記部材の上に、有機物および前記有機物に分散した粒子を含む層を形成する工程と、前記層の表面を粗面にするようにドライエッチングにより前記層の表面に前記粒子を露出させる工程とを含むことを特徴とする光電変換素子の製造方法。
【手続補正３】
【補正対象書類名】明細書
【補正対象項目名】０００６
【補正方法】変更
【補正の内容】
【０００６】
また、本発明の光電変換素子は、光電変換部を有する半導体基板と、前記半導体基板の上に設けられた、有機物および前記有機物に分散した粒子を含み、表面粗さがＲＭＳ５０ｎｍ以上である層とを備えることを特徴とする。
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
情報処理装置とプリンタ装置とを含む情報処理システムであって、
前記情報処理装置は、
ドキュメントテンプレートの可変部分にて参照されるデータのうちの最大のデータサイズを取得する取得手段と、
前記取得手段で取得された最大のデータサイズに基づいてスタブデータを生成する第１の生成手段と、
前記ドキュメントテンプレートと前記生成されたスタブデータとを用いて、印刷データを生成する第２の生成手段と、
前記ドキュメントテンプレートの可変部分に対して印刷時に参照されるデータで構成されるデータソースを生成する第３の生成手段と、を備え、
前記プリンタ装置は、
前記第２の生成手段で生成された印刷データと、前記第３の生成手段で生成されたデータソースとを受信する受信手段と、
前記受信した印刷データ内のスタブデータを前記受信したデータソースで上書きすることにより、前記受信した印刷データを再構築する再構築手段と、を備えることを特徴とする情報処理システム。
【請求項２】
前記第２の生成手段で生成される印刷データは、前記ドキュメントテンプレートの固定部分と、前記生成されたスタブデータと、前記生成される印刷データにおける前記スタブデータが存在する位置を示す参照位置情報と、を含むことを特徴とする請求項１に記載の情報処理システム。
【請求項３】
印刷データを処理する情報処理システムにて使用される情報処理装置であって、
ドキュメントテンプレートの可変部分にて参照されるデータのサイズから最大のサイズを取得する取得手段と、
前記取得手段で取得された最大のデータサイズに基づいてスタブデータを生成する第１の生成手段と、
前記ドキュメントテンプレートと前記生成されたスタブデータとを用いて、印刷データを生成する第２の生成手段と、
前記ドキュメントテンプレートの可変部分に対して印刷時に参照されるデータで構成されるデータソースを生成する第３の生成手段と、を備えることを特徴とする情報処理装置。
【請求項４】
前記第２の生成手段で生成される印刷データは、前記ドキュメントテンプレートの固定部分と、前記生成されたスタブデータと、前記生成される印刷データにおける前記スタブデータが存在する位置を示す参照位置情報と、を含むことを特徴とする請求項３に記載の情報処理装置。
【請求項５】
情報処理装置とプリンタ装置とを含む情報処理システムにて実行される情報処理方法であって、
前記情報処理装置の取得手段が、ドキュメントテンプレートの可変部分にて参照されるデータのうちの最大のデータサイズを取得する取得ステップと、
前記情報処理装置の第１の生成手段が、前記取得された最大のデータサイズに基づいてスタブデータを生成する第１の生成ステップと、
前記情報処理装置の第２の生成手段が、前記ドキュメントテンプレートと前記生成されたスタブデータとを用いて、印刷データを生成する第２の生成ステップと、
前記情報処理装置の第３の生成手段が、前記ドキュメントテンプレートの可変部分に対して、印刷時に参照されるデータで構成されるデータソースを生成する第３の生成ステップと、
前記プリンタ装置の受信手段が、前記第２の生成ステップで生成された印刷データと、前記第３の生成ステップで生成されたデータソースとを受信する受信ステップと、
前記プリンタ装置の再構築手段が、前記受信した印刷データ内のスタブデータを前記受信したデータソースで上書きすることにより、前記受信した印刷データを再構築する再構築ステップと、を含むことを特徴とする情報処理方法。
【請求項６】
印刷データを処理する情報処理装置にて実行される情報処理方法であって、
前記情報処理装置の取得手段が、ドキュメントテンプレートの可変部分にて参照されるデータのうちの最大のデータサイズを取得する取得ステップと、
前記情報処理装置の第１の生成手段が、前記取得された最大のデータサイズに基づいてスタブデータを生成する第１の生成ステップと、
前記情報処理装置の第２の生成手段が、前記ドキュメントテンプレートと前記生成されたスタブデータとを用いて、印刷データを生成する第２の生成ステップと、
前記情報処理装置の第３の生成手段が、前記ドキュメントテンプレートの可変部分に対して、印刷時に参照されるデータで構成されるデータソースを生成する生成ステップと、を含むことを特徴とする情報処理方法。
【請求項７】
第１のコンピュータを、請求項１に記載の情報処理装置の各手段として機能させ、第２のコンピュータを、請求項１に記載のプリンタ装置の各手段として機能させるためのプログラム。
【請求項８】
コンピュータを、請求項３または４に記載の情報処理装置の各手段として機能させるためのプログラム。
【手続補正２】
【補正対象書類名】明細書
【補正対象項目名】０００６
【補正方法】変更
【補正の内容】
【０００６】
本発明の第１の側面に係る情報処理システムは、情報処理装置とプリンタ装置とを含む情報処理システムであって、前記情報処理装置は、ドキュメントテンプレートの可変部分にて参照されるデータのうちの最大のデータサイズを取得する取得手段と、前記取得手段で取得された最大のデータサイズに基づいてスタブデータを生成する第１の生成手段と、前記ドキュメントテンプレートと前記生成されたスタブデータとを用いて、印刷データを生成する第２の生成手段と、前記ドキュメントテンプレートの可変部分に対して印刷時に参照されるデータで構成されるデータソースを生成する第３の生成手段と、を備え、前記プリンタ装置は、前記第２の生成手段で生成された印刷データと、前記第３の生成手段で生成されたデータソースとを受信する受信手段と、前記受信した印刷データ内のスタブデータを前記受信したデータソースで上書きすることにより、前記受信した印刷データを再構築する再構築手段と、を備える。
【手続補正３】
【補正対象書類名】明細書
【補正対象項目名】０００７
【補正方法】変更
【補正の内容】
【０００７】
本発明の第２の側面に係る情報処理装置は、印刷データを処理する情報処理システムにて使用される情報処理装置であって、ドキュメントテンプレートの可変部分にて参照されるデータのサイズから最大のサイズを取得する取得手段と、前記取得手段で取得された最大のデータサイズに基づいてスタブデータを生成する第１の生成手段と、前記ドキュメントテンプレートと前記生成されたスタブデータとを用いて、印刷データを生成する第２の生成手段と、前記ドキュメントテンプレートの可変部分に対して印刷時に参照されるデータで構成されるデータソースを生成する第３の生成手段と、を備える。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
断面扁平に形成され内部に流体を通流させる複数のチューブを短径方向に所定間隔で並置する座面部及び位置決め用の拘束部を有するチューブ保持部材と、複数のチューブ装着溝が形成されたフィンを所定の姿勢で保持して、前記チューブ保持部材に保持された前記複数のチューブの外周面に装着する動作を順次繰り返すように構成されたフィン装着機構部と、を備え、短径方向に並ぶ前記複数のチューブの長手方向に沿って所定間隔で複数枚の前記フィンを装着するフィンアンドチューブ式の熱交換器の製造装置であって、前記座面部に保持された前記複数のチューブを前記座面部とは反対側から押えるように配設され、前記複数のチューブを前記短径方向に直交する方向に拘束するチューブ押え部材を備えたことを特徴とする熱交換器の製造装置。
【請求項２】
前記複数のチューブの拘束状態の異常を検知する拘束異常検知手段を備えたことを特徴とする請求項１記載の熱交換器の製造装置。
【請求項３】
前記チューブ押え部材は、前記チューブ保持部材に保持された前記複数のチューブにそれぞれ対応して前記座面部の方向に個別に進退するように設けられた複数のチューブ押え爪を用いてなることを特徴とする請求項１または請求項２記載の熱交換器の製造装置。
【請求項４】
前記チューブ押え部材は、前記チューブ保持部材に保持された前記複数のチューブにそれぞれ対応して形成された複数のチューブ押え爪が櫛歯状に一体的に形成され前記座面部の方向に一体的に進退するように設けられてなることを特徴とする請求項１または請求項２記載の熱交換器の製造装置。
【請求項５】
前記複数のチューブの拘束状態の異常を検知する拘束異常検知手段を備え、前記拘束異常検知手段は、前記複数のチューブに対して前記座面部とは反対側に配設され、前記座面部に保持された複数のチューブの側近部に対して進退方向に移動して、前記チューブが正規の拘束位置から外れているときにそのチューブに干渉するように形成された複数の拘束異常検知子と、前記拘束異常検知子の位置に基づいて検知信号を出力するセンサとを用いたものであることを特徴とする請求項２から請求項４の何れかに記載の熱交換器の製造装置。
【請求項６】
前記複数のチューブの拘束状態の異常を検知する拘束異常検知手段を備え、前記拘束異常検知手段は、前記複数のチューブに対して前記座面部とは反対側に配設され、前記座面部に保持された複数のチューブの側近部に対して進退方向に移動して、前記チューブが正規の拘束位置から外れているときにそのチューブに干渉するように形成された複数の拘束異常検知子と、前記拘束異常検知子の位置に基づいて検知信号を出力するセンサとを用いたものであり、複数の前記拘束異常検知子は、一端部が前記チューブ押え爪の側面部にそれぞれ回動可能に枢支され、他端部が複数の前記チューブの側近部に対して進退方向に前記チューブ押え爪と共に移動するように設置されていることを特徴とする請求項３または請求項４記載の熱交換器の製造装置。
【請求項７】
前記複数のチューブの拘束状態の異常を検知する拘束異常検知手段を備え、前記拘束異常検知手段は、前記複数のチューブに対して前記座面部とは反対側に配設され、前記座面部に保持された複数のチューブの側近部に対して進退方向に移動して、前記チューブが正規の拘束位置から外れているときにそのチューブに干渉するように形成された複数の拘束異常検知子と、前記拘束異常検知子の位置に基づいて検知信号を出力するセンサとを用いたものであり、複数の前記拘束異常検知子は、櫛歯状に一体的に形成され、基部側である一端部が前記チューブ押え爪の側面部に回動可能に枢支され、歯側である他端部が複数の前記チューブの側近部に対して進退方向に前記チューブ押え爪と共に移動するように設置されていることを特徴とする請求項４記載の熱交換器の製造装置。
【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
エンジンと、前記エンジンの回転によって駆動される発電機と、前記エンジンの停止と再始動を行うアイドリングストップ制御部と、を備える車両に搭載される電源制御装置であって、
回路内の電源として働く第１のバッテリを含み、前記発電機から供給される電力により前記第１のバッテリを充電可能な回路構成を備えた第１の回路と、
前記第１のバッテリとは異なる第２のバッテリと、前記第２のバッテリを電源として動作する補機とを含む第２の回路と、
前記第１のバッテリと前記第１の回路内の電源ラインとの間の導通と遮断を切り替える第１のスイッチ部と、
前記第１の回路の電源ラインと前記第２の回路の電源ラインとの間の導通と遮断とを切り替える第２のスイッチ部と、
前記アイドリングストップ制御部の動作と協働して、前記第１のスイッチ部と前記第２のスイッチ部とを制御するスイッチ制御部と、
を備え、
前記スイッチ制御部は、
前記エンジンの運転中に、前記第２のスイッチ部を導通して前記発電機から供給される電力により前記第２のバッテリを充電可能とするとともに、前記第１のバッテリの電圧が所定の閾値以下になったときに、前記第１のスイッチ部を遮断して前記第１のバッテリからの放電を制限し、
前記エンジンの停止中に、前記第１および第２のスイッチ部を共に導通して、前記第１のバッテリから前記第２のバッテリへの充電を可能とする、電源制御装置。
【請求項２】
請求項１に記載の電源制御装置であって、
前記スイッチ制御部は、前記エンジンの停止中における、前記第１のスイッチ部および前記第２のスイッチ部の導通を、第１のバッテリの電圧が第２のバッテリの電圧よりも高い場合に限り行う、電源制御装置。
【請求項３】
請求項１または請求項２に記載の電源制御装置であって、
前記第１の回路は、前記第１のバッテリの電力により駆動されて前記エンジンを始動させるスタータを含み、
前記スイッチ制御部は、前記アイドリングストップ制御部による前記エンジンの再始動時に前記スタータを駆動する際には、第２のスイッチ部を遮断する、電源制御装置。
【請求項４】
請求項１から請求項３までのいずれか一項に記載の電源制御装置であって、
前記第２の回路に含まれる前記補機は、供給電力の電圧を最低動作電圧以上に維持することが要求される機器である、電源制御装置。
【請求項５】
請求項１から請求項４までのいずれか一項に記載の電源制御装置であって、
前記第１のバッテリは鉛バッテリであり、前記第２のバッテリは前記鉛バッテリよりも出力密度又はエネルギー密度の高いバッテリである、電源制御装置。
【手続補正２】
【補正対象書類名】明細書
【補正対象項目名】０００６
【補正方法】変更
【補正の内容】
【０００６】
（１）本発明の一形態によれば、エンジンと、前記エンジンの回転によって駆動される発電機と、前記エンジンの停止と再始動を行うアイドリングストップ制御部と、を備える車両に搭載される電源制御装置が提供される。この電源制御装置は、回路内の電源として働く第１のバッテリを含み、前記発電機から供給される電力により前記第１のバッテリを充電可能な回路構成を備えた第１の回路と、前記第１のバッテリとは異なる第２のバッテリと、前記第２のバッテリを電源として動作する補機とを含む第２の回路と、前記第１のバッテリと前記第１の回路内の電源ラインとの間の導通と遮断を切り替える第１のスイッチ部と、前記第１の回路の電源ラインと前記第２の回路の電源ラインとの間の導通と遮断とを切り替える第２のスイッチ部と、前記アイドリングストップ制御部の動作と協働して、前記第１のスイッチ部と前記第２のスイッチ部とを制御するスイッチ制御部と、を備える。そして、前記スイッチ制御部は、前記エンジンの運転中に、前記第２のスイッチ部を導通して前記発電機から供給される電力により前記第２のバッテリを充電可能とするとともに、前記第１のバッテリの電圧が所定の閾値以下になったときに、前記第１のスイッチ部を遮断して前記第１のバッテリからの放電を制限し、前記エンジンの停止中に、前記第１および第２のスイッチ部を共に導通して、前記第１のバッテリから前記第２のバッテリへの充電を可能とする。
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
所定のゲームをユーザに対して提供するシステムであって、
所定の命令を実行する１又は複数のコンピュータプロセッサを備え、
前記コンピュータプロセッサは、前記所定の命令の実行に応じて、
前記所定のゲームの進行を開始する開始指示を前記ユーザから受け付け、
前記開始指示の受け付けに応じて、前記所定のゲームの進行に応じて生じる１又は複数
のイベント情報を特定し、
前記所定のゲーム以外の他のサービスに関する情報を含む前記ユーザに対する１又は複
数の通知情報を特定し、
前記特定されたイベント情報及び通知情報をそれぞれイベント履歴として含むイベント
履歴情報を前記ユーザに対して提示するものであって、
前記通知情報の特定は、前記特定されたイベント情報に基づいてなされ、該通知情報は、当該特定されたイベント情報の内容に応じた内容のイベント履歴として提示することを含む、
システム。
【請求項２】
請求項１に記載のシステムであって、
前記イベント履歴情報の提示は、同じ内容の通知情報であっても、前記特定されたイベント情報の内容に応じたメッセージをイベント履歴として当該通知情報を提示する、システム。
【請求項３】
請求項１又は２に記載のシステムであって、
前記特定されたイベント情報は、キャラクタが対戦相手との対戦に勝利又は敗北したことである、システム。
【請求項４】
請求項１に記載のシステムであって、
前記所定のゲームは、キャラクタを用いたゲームであり、
前記イベント情報は、前記キャラクタに生じるイベントに関する情報であり、
前記イベント履歴は、前記キャラクタに生じたイベントに関する履歴である、
システム。
【請求項５】
請求項４に記載のシステムであって、
前記キャラクタは、前記所定のゲームの進行に応じてゲーム媒体を取得又は消費し、
前記イベント情報は、前記キャラクタによる前記ゲーム媒体の取得又は消費を伴うイベ
ントに関する情報を含む、
システム。
【請求項６】
前記イベント履歴情報の提示は、前記イベント履歴を含む画面であって、少なくとも前
記通知情報に対する前記ユーザからの評価情報を受け付け可能に構成されたイベント履歴
情報画面を表示することを含む請求項１ないし５いずれかに記載のシステム。
【請求項７】
前記通知情報の特定は、前記ユーザから過去に受け付けた前記評価情報に少なくとも基
づいて、当該ユーザに対する当該通知情報を特定することを含む請求項６に記載のシステ
ム。
【請求項８】
請求項６又は７に記載のシステムであって、
前記コンピュータプロセッサは、前記所定の命令の実行に応じて、
前記評価情報を受け付けた前記ユーザに対して所定の報酬を付与する、
システム。
【請求項９】
請求項１に記載のシステムであって、
サービスに対するユーザの嗜好に関する嗜好情報を少なくとも記憶する記憶装置を更に
備え、
前記通知情報の特定は、前記嗜好情報に基づいて特定された前記ユーザに対して紹介す
る前記他のサービスである紹介サービスに関する情報を当該通知情報として特定すること
を含む、
システム。
【請求項１０】
前記紹介サービスに関する情報は、当該紹介サービスにおいて使用可能なサービス媒体
を前記ユーザが取得した又は取得可能であることを当該ユーザに通知する情報を含む請求
項９に記載のシステム。
【請求項１１】
前記通知情報は、前記他のサービスの提供状況に関する情報を含む請求項１ないし１０いずれかに記載のシステム。
【請求項１２】
前記イベント履歴情報の提示は、前記通知情報を、他のユーザが当該通知情報を仲介す
る内容の前記イベント履歴として提示することを含む請求項１ないし１１いずれか記載の
システム。
【請求項１３】
１又は複数のコンピュータによって、所定のゲームをユーザに対して提供する方法であ
って、
前記所定のゲームの進行を開始する開始指示を前記ユーザから受け付けるステップと、
前記開始指示の受け付けに応じて、前記所定のゲームの進行に応じて生じる１又は複数
のイベント情報を特定するステップと、
前記所定のゲーム以外の他のサービスに関する情報を含む前記ユーザに対する１又は複
数の通知情報を特定するステップと、
前記特定されたイベント情報及び通知情報をそれぞれイベント履歴として含むイベント
履歴情報を前記ユーザに対して提示するステップと、
を備え、前記通知情報を特定するステップは、前記特定されたイベント情報に基づいてなされ、前記イベント履歴情報を前記ユーザに対して提示するステップは、前記通知情報を、当該特定されたイベント情報の内容に応じた内容のイベント履歴として提示することを含む、
方法。
【請求項１４】
所定のゲームをユーザに対して提供するためのプログラムであって、
１又は複数のコンピュータに、
前記所定のゲームの進行を開始する開始指示を前記ユーザから受け付ける処理と、
前記開始指示の受け付けに応じて、前記所定のゲームの進行に応じて生じる１又は複数
のイベント情報を特定する処理と、
前記所定のゲーム以外の他のサービスに関する情報を含む前記ユーザに対する１又は複
数の通知情報を特定する処理と、
前記特定されたイベント情報及び通知情報をそれぞれイベント履歴として含むイベント
履歴情報を前記ユーザに対して提示する処理と、
を実行させるものであって、前記通知情報を特定する処理は、前記特定されたイベント情報に基づいてなされ、前記イベント履歴情報を前記ユーザに対して提示する処理は、前記通知情報を、当該特定されたイベント情報の内容に応じた内容のイベント履歴として提示することを含む、
プログラム。
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
エネミーキャラクターを倒すことをチーム間で競い合う対戦ゲームを実行する情報処理装置であって、
通常エネミーキャラクター及び特別エネミーキャラクターのうち、通常エネミーキャラクターを第１チームに対して出現させたときに、前記第１チームと獲得ポイントを競い合う第２チームに対して当該通常エネミーキャラクターを出現させず、かつ、特別エネミーキャラクターを前記第１チームに対して出現させたときには、前記第２チームに対しても当該特別エネミーキャラクターを出現させる処理を実行するキャラクター出現処理部と、
前記第１チームに対して出現させた通常エネミーキャラクター及び特別エネミーキャラクターの出現リストを含む第１ゲーム画面のデータを生成する処理、
前記第１ゲーム画面が表示されている際に、前記第１チームに所属するプレイヤーの操作によって出現リストの中から特別エネミーキャラクターが選択された場合に、前記第１チームに対して設定された前記特別エネミーキャラクターの第１体力パラメーターと、前記第２チームに対して設定された前記特別エネミーキャラクターの第２体力パラメーターを比較可能に表示した第２ゲーム画面のデータを生成する処理、及び、
前記第１ゲーム画面が表示されている際に、前記第１チームに所属するプレイヤーの操作によって出現リストの中から通常エネミーキャラクターが選択された場合には、前記第１チームに対して設定された通常エネミーキャラクターの体力パラメーターを含む第３ゲーム画面のデータを生成する処理を実行する画面データ生成部と、
を備えたことを特徴とする情報処理装置。
【請求項２】
請求項１に記載の情報処理装置であって、
前記特別エネミーキャラクターの出現中に、前記第１チームに所属するプレイヤーの攻撃操によって、前記第１チームに対して設定された前記特別エネミーキャラクターの第１体力パラメーターを変動させ、かつ、前記第２チームに所属するプレイヤーの攻撃操作によって、前記第２チームに対して設定された前記特別エネミーキャラクターの第２体力パラメーターを変動させる処理を実行するパラメーター変動処理部と、
を備えたことを特徴とする情報処理装置。
【請求項３】
請求項２に記載の情報処理装置であって、
前記画面データ生成部は、変動後の前記第１体力パラメーターと、変動後の前記第２体力パラメーターを比較可能に表示した前記第２ゲーム画面のデータを生成する処理を実行する、
ことを特徴とする情報処理装置。
【請求項４】
請求項１乃至３のいずれかに記載の情報処理装置であって、
前記第１チームに対して設定された前記特別エネミーキャラクターの第１体力パラメーターが、前記第２チームに対して設定された前記特別エネミーキャラクターの第２体力パラメーターよりも先に所定値以下になったことにより、前記第１チームの勝利を決定する処理を実行する勝敗決定処理部と、
を備えたことを特徴とする情報処理装置。
【請求項５】
エネミーキャラクターを倒すことをチーム間で競い合う対戦ゲームに関するゲームプログラムであって、
コンピューターに、
通常エネミーキャラクター及び特別エネミーキャラクターのうち、通常エネミーキャラクターを第１チームに対して出現させたときに、前記第１チームと獲得ポイントを競い合う第２チームに対して当該通常エネミーキャラクターを出現させず、かつ、特別エネミーキャラクターを前記第１チームに対して出現させたときには、前記第２チームに対しても当該特別エネミーキャラクターを出現させる処理を実行するキャラクター出現機能と、
前記第１チームに対して出現させた通常エネミーキャラクター及び特別エネミーキャラクターの出現リストを含む第１ゲーム画面のデータを生成する処理、
前記第１ゲーム画面が表示されている際に、前記第１チームに所属するプレイヤーの操作によって出現リストの中から特別エネミーキャラクターが選択された場合に、前記第１チームに対して設定された前記特別エネミーキャラクターの第１体力パラメーターと、前記第２チームに対して設定された前記特別エネミーキャラクターの第２体力パラメーターを比較可能に表示した第２ゲーム画面のデータを生成する処理、及び、
前記第１ゲーム画面が表示されている際に、前記第１チームに所属するプレイヤーの操作によって出現リストの中から通常エネミーキャラクターが選択された場合には、前記第１チームに対して設定された通常エネミーキャラクターの体力パラメーターを含む第３ゲーム画面のデータを生成する処理を実行する画面データ生成機能と、
を実現させるためのゲームプログラム。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
有利度合いを異にする複数の遊技状態が設けられた遊技機であって、
大当たり図柄および小当たり図柄を含む複数の図柄のうちのいずれかを決定する図柄決定手段と、
設定中の遊技状態に対応する変動情報決定条件に基づいて、前記図柄決定手段によって決定された図柄を図柄表示部に停止表示させるまでの時間である変動時間が対応付けられた変動情報を決定する変動情報決定手段と、
前記変動時間が経過すると、前記図柄決定手段によって決定された図柄を前記図柄表示部に停止表示させる図柄表示手段と、
前記図柄表示部に前記大当たり図柄が停止表示されると、遊技領域に設けられた大入賞口を開閉制御して大役遊技を実行するとともに、該図柄表示部に前記小当たり図柄が停止表示されると、該大入賞口を開閉制御して小当たり遊技を実行する大入賞口開閉制御手段と、
前記大役遊技中および前記小当たり遊技中に前記大入賞口に遊技球が入球すると、所定数の賞球を払い出す払出制御手段と、
前記図柄表示部に前記大当たり図柄が停止表示されて前記大役遊技が実行された場合に、少なくとも該大当たり図柄の種別に応じて、該大役遊技後の遊技状態を設定する遊技状態設定手段と、
を備え、
相対的に有利度合いの高い所定の遊技状態に対応する前記変動情報決定条件には、第１変動情報決定条件と、該第１変動情報決定条件よりも、前記変動時間もしくは該変動時間の平均である平均時間が短い第２変動情報決定条件が含まれており、
前記大役遊技後の遊技状態が、前記所定の遊技状態に設定される大当たり図柄には、大役遊技後、大当たり図柄以外の図柄の停止表示回数が所定の天井回数に到達するまでの間を第１変動期間とし、大当たり図柄以外の図柄の停止表示回数が該天井回数に到達した後の期間を第２変動期間とする特定大当たり図柄が少なくとも含まれており、
前記変動情報決定手段は、前記第１変動期間中は前記第１変動情報決定条件に基づいて変動情報を決定し、前記第２変動期間中は前記第２変動情報決定条件に基づいて変動情報を決定し、
前記第２変動期間中は、前記第１変動期間中よりも、単位時間当たりの前記小当たり遊技の実行回数が多くなることを特徴とする遊技機。
【請求項２】
前記小当たり図柄には、前記図柄表示部に停止表示されたときの遊技状態が前記所定の遊技状態であった場合において、小当たり遊技後の所定期間を前記第２変動期間とする特定小当たり図柄が含まれることを特徴とする請求項１に記載の遊技機。
【手続補正２】
【補正対象書類名】明細書
【補正対象項目名】０００７
【補正方法】変更
【補正の内容】
【０００７】
上記課題を解決するために、本発明の遊技機は、有利度合いを異にする複数の遊技状態が設けられた遊技機であって、大当たり図柄および小当たり図柄を含む複数の図柄のうちのいずれかを決定する図柄決定手段と、設定中の遊技状態に対応する変動情報決定条件に基づいて、前記図柄決定手段によって決定された図柄を図柄表示部に停止表示させるまでの時間である変動時間が対応付けられた変動情報を決定する変動情報決定手段と、前記変動時間が経過すると、前記図柄決定手段によって決定された図柄を前記図柄表示部に停止表示させる図柄表示手段と、前記図柄表示部に前記大当たり図柄が停止表示されると、遊技領域に設けられた大入賞口を開閉制御して大役遊技を実行するとともに、該図柄表示部に前記小当たり図柄が停止表示されると、該大入賞口を開閉制御して小当たり遊技を実行する大入賞口開閉制御手段と、前記大役遊技中および前記小当たり遊技中に前記大入賞口に遊技球が入球すると、所定数の賞球を払い出す払出制御手段と、前記図柄表示部に前記大当たり図柄が停止表示されて前記大役遊技が実行された場合に、少なくとも該大当たり図柄の種別に応じて、該大役遊技後の遊技状態を設定する遊技状態設定手段と、を備え、相対的に有利度合いの高い所定の遊技状態に対応する前記変動情報決定条件には、第１変動情報決定条件と、該第１変動情報決定条件よりも、前記変動時間もしくは該変動時間の平均である平均時間が短い第２変動情報決定条件が含まれており、前記大役遊技後の遊技状態が、前記所定の遊技状態に設定される大当たり図柄には、大役遊技後、大当たり図柄以外の図柄の停止表示回数が所定の天井回数に到達するまでの間を第１変動期間とし、大当たり図柄以外の図柄の停止表示回数が該天井回数に到達した後の期間を第２変動期間とする特定大当たり図柄が少なくとも含まれており、前記変動情報決定手段は、前記第１変動期間中は前記第１変動情報決定条件に基づいて変動情報を決定し、前記第２変動期間中は前記第２変動情報決定条件に基づいて変動情報を決定し、前記第２変動期間中は、前記第１変動期間中よりも、単位時間当たりの前記小当たり遊技の実行回数が多くなることを特徴とする。
【手続補正３】
【補正対象書類名】明細書
【補正対象項目名】０００８
【補正方法】変更
【補正の内容】
【０００８】
また、前記小当たり図柄には、前記図柄表示部に停止表示されたときの遊技状態が前記所定の遊技状態であった場合において、小当たり遊技後の所定期間を前記第２変動期間とする特定小当たり図柄が含まれるとよい。
【手続補正４】
【補正対象書類名】明細書
【補正対象項目名】０００９
【補正方法】削除
【補正の内容】
【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
近接無線通信を介して、モバイル端末からユーザ情報を受信する受信手段と、
ユーザ情報が関連付けられた印刷データを外部から受信し、記憶領域に記憶する記憶手段と、を有する印刷装置において、
前記モバイル端末から前記近接無線通信を介してユーザ情報を受信したことに応じて、前記記憶領域に記憶されている印刷データであって、前記受信したユーザ情報に対応する印刷データに基づく印刷を行うよう制御する印刷制御手段と、
を備えることを特徴とする印刷装置。
【請求項２】
前記ユーザ情報は、ユーザＩＤを少なくとも含むことを特徴とする請求項１に記載の印刷装置。
【請求項３】
前記近接無線通信は、ＮＦＣ（Ｎｅａｒ  Ｆｉｅｌｄ  Ｃｏｍｍｕｎｉｃａｔｉｏｎ）に基づく無線通信であることを特徴とする請求項１又は２に記載の印刷装置。
【請求項４】
前記近接無線通信は、Ｂｌｕｅｔｏｏｔｈに基づく無線通信であることを特徴とする請求項１又は２に記載の印刷装置。
【請求項５】
前記印刷制御手段は、前記受信したユーザ情報に対応する印刷データが前記記憶領域に記憶されている場合、前記ユーザ情報に対応する印刷データを一覧表示し、印刷データを一覧表示した状態で、ユーザから印刷データの印刷指示を受け付けたことに従って、当該印刷指示に基づく印刷を行うことを特徴とする請求項１乃至４のいずれか１項に記載の印刷装置。
【請求項６】
前記モバイル端末上では、少なくとも２つ以上のユーザ情報が管理されており、前記モバイル端末から前記近接無線通信を介して受信するユーザ情報には、前記モバイル端末上で管理されているいずれか１つのユーザ情報が含まれることを特徴とする請求項１乃至５のいずれか１項に記載の印刷装置。
【請求項７】
前記モバイル端末から前記近接無線通信を介して受信するユーザ情報は、前記モバイル端末を使用しているユーザに対応するユーザ情報であることを特徴とする請求項６に記載の印刷装置。
【請求項８】
請求項１乃至７のいずれか１項に記載の印刷装置と通信可能なモバイル端末であって、
前記印刷装置に、ユーザ情報が関連付けられた印刷データを送信する第１の送信手段と、
前記近接無線通信を介して、前記印刷装置にユーザ情報を送信する第２の送信手段と、
を有することを特徴とするモバイル端末。
【請求項９】
印刷装置の制御方法であって、
近接無線通信を介して、モバイル端末からユーザ情報を受信する受信ステップと、
ユーザ情報が関連付けられた印刷データを外部から受信し、記憶領域に格納する格納ステップと、
前記モバイル端末から前記近接無線通信を介してユーザ情報を受信したことに応じて、前記記憶領域に記憶されている印刷データであって、前記受信したユーザ情報に対応する印刷データに基づく印刷を行う印刷ステップと、
を備えることを特徴とする印刷装置の制御方法。
【請求項１０】
請求項９に記載の印刷装置の制御方法をコンピュータに実行させるためのプログラム。
【手続補正２】
【補正対象書類名】明細書
【補正対象項目名】発明の名称
【補正方法】変更
【補正の内容】
【発明の名称】印刷装置、モバイル端末、印刷装置の制御方法、およびプログラム
【手続補正３】
【補正対象書類名】明細書
【補正対象項目名】０００１
【補正方法】変更
【補正の内容】
【０００１】
本発明は、印刷装置、モバイル端末、印刷装置の制御方法、およびプログラムに関する。
【手続補正４】
【補正対象書類名】明細書
【補正対象項目名】０００８
【補正方法】変更
【補正の内容】
【０００８】
本発明に係る印刷装置は、近接無線通信を介して、モバイル端末からユーザ情報を受信する受信手段と、ユーザ情報が関連付けられた印刷データを外部から受信し、記憶領域に記憶する記憶手段と、を有する印刷装置において、前記モバイル端末から前記近接無線通信を介してユーザ情報を受信したことに応じて、前記記憶領域に記憶されている印刷データであって、前記受信したユーザ情報に対応する印刷データに基づく印刷を行うよう制御する印刷制御手段と、を備えることを特徴とする。